(57)【要約】【課題】  容易に、かつ、辺りを汚すことなく確実に、トイレ砂をペット用途入れに補給することのできるペット用途入れの砂補給機を提供する。【解決手段】  上半部にトイレ砂Ｓを収納する収納空間部１１を有し、下端部にペット用トイレＴの一部が侵入できる侵入空間部１２を有する箱体１０と、収納空間部１１の下端部に設けられ、トイレ砂Ｓが通過する開口部２１と傾斜壁２２を備えたガイド体２０と、開口部２１の直下に配置し且つ箱体１０外の手動部３２の操作により所望量のトイレ砂Ｓを下方に送る繰出し装置３０と、繰出し装置３０の直下に設けられ、そこから供給されたトイレ砂Ｓを排出する孔部４１と斜め壁４２を備えた排出体４０と、基端部５１が孔部４１に連結され、水平方向に回動自在な供給筒５０とで構成されている。【選択図】      図１
0003118038.tif 000002
【実用新案登録請求の範囲】
【請求項１】
ペット用トイレ（Ｔ）にトイレ砂（Ｓ）を補給するための砂補給機であって、略上半部に所定量のトイレ砂を収納する収納空間部（１１）を有し，下端部に前記ペット用トイレの少なくとも一部が侵入できる大きさの侵入空間部（１２）を有する箱体（１０）と、前記収納空間部の下端部に設けられ，前記収納空間部のトイレ砂が通過する長細状の開口部（２１）を有し，該開口部に前記トイレ砂を流下させる傾斜壁（２２）を備えたガイド体（２０）と、前記開口部の直下に，配置し且つ箱体（１０）外の手動部（３２）の操作により所望量のトイレ砂（Ｓ）を下方に送る繰出し装置（３０）と、前記繰出し装置の直下に設けられ，該繰出し装置から供給されたトイレ砂を排出する孔部（４１）を中央部分に有し，該孔部に前記トイレ砂を流下させる斜め壁（４２）を備えた排出体（４０）と、基端部（５１）が前記孔部に連結され，少なくとも，それより斜め下方に延設された先端部（５２）が前記箱体から露出し，前記基端部を軸として水平方向に回動自在な供給筒（５０）と、からなるペット用トイレの砂補給機。
【請求項２】
ペット用トイレ（Ｔ）にトイレ砂（Ｓ）を補給するための砂補給機であって、略上半部に所定量のトイレ砂を収納する収納空間部（１１）を有し，下端部に前記ペット用トイレの少なくとも一部が侵入できる大きさの侵入空間部（１２）を有する箱体（１０）と、前記収納空間部の下端部に設けられ，前記収納空間部のトイレ砂が通過する長細状の開口部（２１）を有し，該開口部に前記トイレ砂を流下させる傾斜壁（２２）を備えたガイド体（２０）と、前記開口部の直下に，該開口部の全長に沿って回転自在に設けられ，外周面に，前記トイレ砂を受けて下方に供給する複数の凹部状送り部（３１）を設けた断面略星形状で，手動で回転させるための手動部（３２）を備えたロール状繰出し装置（３０）と、前記繰出し装置の直下に設けられ，該繰出し装置から供給されたトイレ砂を排出する孔部（４１）を中央部分に有し，該孔部に前記トイレ砂を流下させる斜め壁（４２）を備えた排出体（４０）と、基端部（５１）が前記孔部に連結され，少なくとも，それより斜め下方に延設された先端部（５２）が前記箱体から露出し，前記基端部を軸として水平方向に回動自在な供給筒（５０）と、からなり、さらに，前記繰出し装置に，逆方向の回転を阻止するためのラチェット機構（６０）を設けてなるペット用トイレの砂補給機。
【考案の詳細な説明】
【技術分野】
【０００１】
本考案は、猫や犬などのペット用トイレに砂を補給するための砂補給機に関するものである。
【背景技術】
【０００２】
猫や犬などのペット用トイレには、液体を吸収すると固化し、かつ、臭いを消す効果を発揮するトイレ砂を敷設するものがある。このトイレ砂は、固化した分だけ除去し、新たなトイレ砂を補給するようにしている。従って、トイレ砂に無駄が生ぜず実用的である。
【考案の開示】
【考案が解決しようとする課題】
【０００３】
しかし、これまでは固化したトイレ砂を除去した後、あらたなものを補給する際、トイレ砂を収納している袋から手作業で取り出す必要があったので、作業が面倒であり、袋も邪魔になっていた。また、誤って床に落とし、辺りを汚してしまうといった問題がある。
【０００４】
本考案はこうした問題に鑑み創案されたもので、容易に、かつ、辺りを汚すことなく確実に、トイレ砂をペット用トイレに補給することのできるペット用トイレの砂補給機を提供することを課題とする。
【課題を解決するための手段】
【０００５】
図１乃至図５を参照して説明する。請求項１に記載の考案は、ペット用トイレＴにトイレ砂Ｓを補給するための砂補給機１であって、略上半部に所定量のトイレ砂Ｓを収納する収納空間部１１を有し、下端部に前記ペット用トイレＴの少なくとも一部が侵入できる大きさの侵入空間部１２を有する箱体１０と、前記収納空間部１１の下端部に設けられ、前記収納空間部１１のトイレ砂Ｓが通過する開口部２１を有し、当該開口部２１に前記トイレ砂Ｓを流下させる傾斜壁２２を備えたガイド体２０と、前記開口部２１の直下に、配置し且つ箱体１０外の手動部３２の操作により所望量のトイレ砂Ｓを下方に送る繰出し装置３０と、前記繰出し装置３０の直下に設けられ、当該繰出し装置３０から供給されたトイレ砂Ｓを排出する孔部４１を中央部分に有し、当該孔部４１に前記トイレ砂Ｓを流下させる斜め壁４２を備えた排出体４０と、基端部５１が前記孔部４１に連結され、少なくとも、それより斜め下方に延設された先端部５２が前記箱体１０から露出し、前記基端部５１を軸として水平方向に回動自在な供給筒５０と、からなる。
【０００６】
請求項２に記載の考案は、ペット用トイレＴにトイレ砂Ｓを補給するための砂補給機１であって、略上半部に所定量のトイレ砂Ｓを収納する収納空間部１１を有し、下端部に前記ペット用トイレＴの少なくとも一部が侵入できる大きさの侵入空間部１２を有する箱体１０と、前記収納空間部１１の下端部に設けられ、前記収納空間部１１のトイレ砂Ｓが通過する長細状の開口部２１を有し、当該開口部２１に前記トイレ砂Ｓを流下させる傾斜壁２２を備えたガイド体２０と、前記開口部２１の直下に、当該開口部２１の全長に沿って回転自在に設けられ、外周面に、前記トイレ砂Ｓを受けて下方に供給する複数の凹部状送り部３１を設けた断面略星形状で、手動で回転させるための手動部３２を備えたロール状繰出し装置３０と、前記繰出し装置３０の直下に設けられ、当該繰出し装置３０から供給されたトイレ砂Ｓを排出する孔部４１を中央部分に有し、当該孔部４１に前記トイレ砂Ｓを流下させる斜め壁４２を備えた排出体４０と、基端部５１が前記孔部４１に連結され、少なくとも、それより斜め下方に延設された先端部５２が前記箱体１０から露出し、前記基端部５１を軸として水平方向に回動自在な供給筒５０と、からなり、さらに、前記繰出し装置３０に、逆方向の回転を阻止するための、ラチェット機構６０を設けてなるものである。
【考案の効果】
【０００７】
請求項１に記載のペット用トイレの砂補給機１は、上記した構成としたので、容易に、かつ、辺りを汚すことなく、トイレ砂Ｓをペット用トイレＴに補給することができる。
【０００８】
すなわち、箱体１０の収納空間部１１に所定量のトイレ砂Ｓを収納しておき、ペット用トイレＴにトイレ砂Ｓを補給する際には、必要に応じて箱体１０の侵入空間部１２にペット用トイレＴの一部を侵入位置させた後、繰出し装置３０の手動部３２を操作する。繰出し装置３０の繰出し量は、供給すべきトイレ砂Ｓによって適宜、決定される。
【０００９】
これにより、繰出し装置３０の送り部３１（収納空間部１１に位置する送り部３１）に侵入していたトイレ砂Ｓが、繰出し装置３０の作動と共に下方に移動して、自重により落下する。この際、収納空間部１１のトイレ砂Ｓは、ガイド体２０の傾斜壁２２によって開口部２１に案内されるので、繰出し装置３０の送り部３１には新たなトイレ砂Ｓが順次侵入して供給される。
【００１０】
落下したトイレ砂Ｓは、排出体４０の斜め壁４２から孔部４１に導かれ、供給筒５０を通過してペット用トイレＴに落下する。これにより、トイレ砂Ｓがペット用トイレＴに、辺りを汚すことなく確実かつ容易に補給される。なお、この際、供給筒５０は、その基端部５１を軸として水平方向に回動自在であるので、当該供給筒５０を回動させてペット用トイレＴの必要な箇所にトイレ砂Ｓを正確に供給することができる。
【００１１】
請求項２に記載のペット用トイレの砂補給機１は、請求項１に記載の考案と同様に、トイレ砂Ｓをペット用トイレＴに、容易に、かつ辺りを汚すことなく確実に補給することができる。
【００１２】
また、ロール状繰出し装置３０にラチェット機構６０を設けているので、当該繰出し装置３０の逆方向の回転を阻止することができ、これにより、安定した回転操作を行うことができ、操作性の向上を図ることができる。
【考案を実施するための最良の形態】
【００１３】
本考案に係るペット用トイレの砂補給機１の実施形態を、図１乃至図５に示す。これは、猫が使用するペット用トイレＴにトイレ砂Ｓを補給するためのものであり、箱体１０、ガイド体２０、繰出し装置３０、排出体４０、供給筒５０およびラチェット機構６０からなる。
【００１４】
箱体１０は、直方体形状で、その上半部に所定量のトイレ砂Ｓを収納する収納空間部１１を有し、下端部にペット用トイレＴの一部が侵入できる大きさの侵入空間部１２を有する。なお、トイレ砂Ｓは、箱体１０の蓋壁１３を開放自在として、そこから充填する。この箱体１０には、収納空間部１１に収納したトイレ砂Ｓの量を視認するための窓部１４を設けている。
【００１５】
ガイド体２０は、収納空間部１１の下端部を形成するように設けられ、当該収納空間部１１のトイレ砂Ｓが通過する長細状の開口部２１と、その開口部２１にトイレ砂Ｓを流下させる傾斜壁２２及びそれに連続して円弧状のカバー部２３を備えている。
【００１６】
ロール状繰出し装置３０は、開口部２１の直下に、当該開口部２１の全長に沿って回転自在に設けられ、外周面に、トイレ砂Ｓを受けて下方に供給する複数の凹部状送り部３１を設けた断面略星形状である。凹部状送り部３１は、２枚の円形端板３１ａの間に放射状板３１ａを配置して構成されている。また、手動で回転させるための手動部３２を、箱体１０から露出させた状態で備えている。この手動部３２には、回転操作を容易なものとするために突起部３３を設けている。
【００１７】
排出体４０は、繰出し装置３０の直下に設けられ、当該繰出し装置３０から供給されたトイレ砂Ｓを排出する孔部４１を中央部分に有し、その孔部４１にトイレ砂Ｓを流下させる斜め壁４２を備えている。
【００１８】
供給筒５０は、基端部５１が孔部４１に連結され、そこから斜め下方に延設された下部分が箱体１０から露出するように形成され、基端部５１を軸として水平方向に回動自在である。
【００１９】
そして、ラチェット機構６０は爪車６１と爪片６２とで構成され、繰出し装置３０の逆方向の回転を阻止するために設けている。本実施形態では、手動部３２の逆側において、繰出し装置３０の軸棒３４に爪車６１を固定し、その爪車６１に、スプリング６３で揺動自在の爪片６２を係止させている。
【００２０】
このペット用トイレの砂補給機１は、次のようにして使用する。まず、箱体１０の収納空間部１１に、その蓋壁１３を開放し、そこから所定量のトイレ砂Ｓを収納しておく。そして、ペット用トイレＴにトイレ砂Ｓを補給する際には、箱体１０の侵入空間部１２にペット用トイレＴの前部や後部を侵入位置させた後、繰出し装置３０の手動部３２を操作する。この繰出し装置３０には、ラチェット機構６０が設けられているので、当該繰出し装置３０は逆方向へ回転しない。従って、回転操作を容易に行うことができる。繰出し装置３０は、供給すべきトイレ砂Ｓの量によって、例えば、１／３回転させる。
【００２１】
繰出し装置３０を回転することにより、その送り部３１（収納空間部１１に位置する送り部３１）に侵入していたトイレ砂Ｓが、当該繰出し装置３０の回転と共に下方に移動して、その自重により落下する。なお、収納空間部１１のトイレ砂Ｓは、ガイド体２０の傾斜壁２２及び円弧状カバー部２３のはたらきによって開口部２１に案内されるので、繰出し装置３０の送り部３１には新たなトイレ砂Ｓが順次、自動的に供給される。
【００２２】
繰出し装置３０から落下したトイレ砂Ｓは、排出体４０の斜め壁４２によって孔部４１に導かれ、そこから供給筒５０を通過してペット用トイレＴに自然落下する。この際、供給筒５０を水平方向に回動させることによって、トイレ砂Ｓをペット用トイレＴの所望箇所に正確に供給することができる。また、ペット用トイレＴを、所望箇所に移動することができる。これにより、トイレ砂Ｓを、ペット用トイレＴに容易に補給することができる。また、正確に補給することができるので、辺りに落として汚してしまうといった問題が発生しない。
【００２３】
繰出し装置３０は、図示及び上述したものに限定されることなく、種々変形が可能である。
【００２４】
手動部３２は、図示したものに限定されることなく、箱体１０の前面に設けることも可能である。
【図面の簡単な説明】
【００２５】
【図１】本考案に係るペット用トイレの砂補給機の実施形態を示す要部断面正面図である。
【図２】図１に示す砂補給機の要部断面側面図である。
【図３】図１のＡ−Ａ線断面図である。
【図４】図１に示す砂補給機のラチェット機構を示す側面図である。
【図５】図１に示す砂補給機のガイド体、繰出し装置および排出体を示す分解斜視図である。
【符号の説明】
【００２６】
１        砂補給機
１０      箱体
１１      収納空間部
１２      侵入空間部
１３      蓋壁
１４      窓部
２０      ガイド体
２１      開口部
２２      傾斜壁
２３      カバー部
３０      繰出し装置
３１      送り部
３１ａ    端板
３１ｂ    放射状板
３２      手動部
３３      突起部
３４      軸棒
４０      排出体
４１      孔部
４２      斜め壁
５０      供給筒
５１      基端部
５２      先端部
６０      ラチェット機構
６１      爪車
６２      爪片
６３      スプリング
Ｓ        トイレ砂
Ｔ        ペット用トイレ
【図１】
0003118038.tif 000003
【図２】
0003118038.tif 000004
【図３】
0003118038.tif 000005
【図４】
0003118038.tif 000006
【図５】
0003118038.tif 000007